(57)【要約】【課題】簡素な構成で光コネクタに付着した埃、塵を確実に除去する。【解決手段】本開示に係る電子機器は、振動を発生させる振動部と、光ケーブルが接続される光コネクタと、振動部と前記光ケーブルが共に実装された基板と、を備える。この構成により、振動部が発生させた振動は基板を介して光コネクタに伝わり、光コネクタが振動するため、光コネクタに付着した塵、埃は振動により除去される。従って、簡素な構成で光コネクタに付着した埃、塵を確実に除去することが可能となる。【選択図】図３
2015031911.tif 000002
【特許請求の範囲】
【請求項１】
振動を発生させる振動部と、
光ケーブルが接続される光コネクタと、
前記振動部と前記光コネクタが共に実装された基板と、
を備える、電子装置。
【請求項２】
前記振動部と前記光コネクタの間の前記基板上に電子部品が実装されていない、請求項１に記載の電子機器。
【請求項３】
前記基板を筐体に固定する固定部を備え、
前記振動部及び前記光コネクタは、前記基板に設けられた切欠きによって前記固定部から分離された領域に配置される、請求項１に記載の電子機器。
【請求項４】
前記振動部と前記光コネクタの間の領域に前記基板を貫通する孔が設けられた、請求項１に記載の電子機器。
【請求項５】
前記振動部と前記光コネクタの双方に接触し、前記振動部の振動を前記光コネクタに伝達する振動伝達部材を更に備える、請求項１に記載の電子機器。
【請求項６】
前記振動部は、着信を通知するバイブレータから構成される、請求項１に記載の電子機器。
【請求項７】
前記振動部は、音声を発生するスピーカから構成される、請求項１に記載の電子機器。
【請求項８】
前記光ケーブルが接続されたことを判定する接続判定部と、
前記光ケーブルが接続された場合に前記振動部を振動させる振動制御部と、
を更に備える、請求項１に記載の電子機器。
【請求項９】
ユーザによる操作入力を取得する操作入力取得部と、
前記ユーザによる操作入力に基づいて前記振動部を振動させる振動制御部と、
を更に備える、請求項１に記載の電子機器。
【請求項１０】
前記光コネクタに接続された光ケーブルを介した通信状況を判定する通信状況判定部と、
前記通信状況に基づいて前記振動部を振動させる振動制御部と、
を更に備える、請求項１に記載の電子機器。
【請求項１１】
前記通信状況判定部により前記通信状況が良好でないことが所定回数以上判定された場合に、前記光コネクタの物理的なクリーニングを喚起させる表示のための制御を行う表示制御部を更に備える、請求項１に記載の電子機器。
【発明の詳細な説明】
【技術分野】
【０００１】
本開示は、電子機器に関する。
【背景技術】
【０００２】
近時では、光ケーブルと光コネクタ（ＳＣコネクタ、ＬＣコネクタ等）を使用した光通信が広く利用されている。光通信において、光通信を行う接合部分（光コネクタの接合面）にゴミが付着した場合、通信が困難となる。このため、コネクタを機器に接合する前に、業者が専用のクリーニング器を用いて、光通信を行う接合部分のクリーニングを行なっている。
【０００３】
また、下記の特許文献１には、光スイッチ装置の清浄方法に関し、清浄動作時には、モータの駆動によって光ファイバ保持部材が清浄機構に移動され、ファイバ端面の清浄化が行われることが記載されている。
【先行技術文献】
【特許文献】
【０００４】
【特許文献１】特開２００２−３１１３４９号公報
【発明の概要】
【発明が解決しようとする課題】
【０００５】
しかしながら、クリーニングの際には、専門知識を有する業者が専用のクリーニング器を用いてクリーニングを行う。このため、一般のユーザが適正にクリーニングを行うことには困難が伴う。従って、光通信は、光コネクタの抜き差しの回数が少ないインフラ系に主に用いられており、接続の際に専門知識を有する業者が専用のクリーニング器を用いてクリーニングを行い、確実な通信を実現している。
【０００６】
一方、光通信は、携帯電話などのモバイル機器、テレビ受像機などの据え置き機器など、一般ユーザがコネクタを脱着する機会がより多い一般的な機器へ広く展開されることが想定される。しかしながら、今後の様々な機器への展開を考えると、一般ユーザが頻繁に脱着するコネクタにおいては、接続の度に毎回クリーニングを行うと、ユーザにとっては非常に煩雑な手間が生じる。また、クリーナーの値段を含め、毎回のクリーニングの際のコストが高価になる問題も生じる。このため、ユーザが一般的に脱着する機会の多い光コネクタを備える機器において、上述した方法でクリーニングを行って、接合部分の光通信の信頼性を確保することは困難である。
【０００７】
上記特許文献１には、モータの駆動によって光ファイバ保持部材が清浄機構に移動され、ファイバ端面の清浄化を行うことが記載されている。しかしながら、清浄用にモータを別途設けることとすると、製造コストが増大する問題がある。また、特許文献１に記載された構成では、モータと光ファイバ保持部材とがワイヤを介して接続されているため、省スペース化にも困難が伴う。
【０００８】
そこで、簡素な構成で光コネクタに付着した埃、塵を確実に除去することが求められていた。
【課題を解決するための手段】
【０００９】
本開示によれば、振動を発生させる振動部と、光ケーブルが接続される光コネクタと、前記振動部と前記光コネクタが共に実装された基板と、を備える、電子装置が提供される。
【００１０】
前記振動部と前記光コネクタの間の前記基板上に電子部品が実装されていないものであっても良い。
【００１１】
また、前記基板を筐体に固定する固定部を備え、前記振動部及び前記光コネクタは、前記基板に設けられた切欠きによって前記固定部から分離された領域に配置されるものであっても良い。
【００１２】
また、前記振動部と前記光コネクタの間の領域に前記基板を貫通する孔が設けられたものであっても良い。
【００１３】
また、前記振動部と前記光コネクタの双方に接触し、前記振動部の振動を前記光コネクタに伝達する振動伝達部材を更に備えるものであっても良い。
【００１４】
前記振動部は、着信を通知するバイブレータから構成されるものであっても良い。
【００１５】
また、前記振動部は、音声を発生するスピーカから構成されるものであっても良い。
【００１６】
また、前記光ケーブルが接続されたことを判定する接続判定部と、前記光ケーブルが接続された場合に前記振動部を振動させる振動制御部と、を更に備えるものであっても良い。
【００１７】
また、ユーザによる操作入力を取得する操作入力取得部と、前記ユーザによる操作入力に基づいて前記振動部を振動させる振動制御部と、を更に備えるものであっても良い。
【００１８】
また、前記光コネクタに接続された光ケーブルを介した通信状況を判定する通信状況判定部と、前記通信状況に基づいて前記振動部を振動させる振動制御部と、
を更に備えるものであっても良い。
【００１９】
また、前記通信状況判定部により前記通信状況が良好でないことが所定回数以上判定された場合に、前記光コネクタの物理的なクリーニングを喚起させる表示のための制御を行う表示制御部を更に備えるものであっても良い。
【発明の効果】
【００２０】
本開示によれば、簡素な構成で光コネクタに付着した埃、塵を確実に除去することが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２１】
【図１】本開示の一実施形態に係る電子機器の外観を示す模式図である。
【図２】電子機器が内蔵するメイン基板とその周辺の構成を示す平面図である。
【図３】光コネクタの装着領域とビスとの間に切欠きを設けた例を示す平面図である。
【図４】光コネクタとビスの近傍に孔を設けた例を示す模式図である。
【図５】バイブレータと光コネクタの間を連結部材で接続した例を示す模式図である。
【図６】光インターフェイスを接続した際にバイブレータによる加振を行う処理を示すフローチャートである。
【図７】通信状況に応じて、良好な通信が行わらなかった場合にバイブレータの振動を発生させる処理を示すフローチャートである。
【図８】図７の処理において、良好な通信が行われていないと判断された回数が所定回数以上になると、物理的なクリーニングを喚起する表示を液晶パネルに表示する例を示すフローチャートである。
【図９】図８の処理において、良好な通信が行われていないと判断されると、光コネクタの接点のクリーニングを喚起する表示を液晶パネルに行い、ユーザが画面上のクリーニングボタンを押すことで加振を行う処理を示すフローチャートである。
【図１０】図６〜図９の処理を実現するための電子機器のハードウェア構成を示すブロック図である。
【発明を実施するための形態】
【００２２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２３】
なお、説明は以下の順序で行うものとする。
１．電子機器の外観の構成例
２．電子機器のメイン基板の構成例
３．振動を発生させる処理
４．電子機器の構成例
【００２４】
［１．電子機器の外観の構成例］
図１は、本開示の一実施形態に係る電子機器１００の外観を示す模式図である。本実施形態では、電子機器１００としてスマートフォンを例示するが、電子機器１００はこれに限定されるものではない。電子機器１００は、タブレット端末、ゲーム機器、ノート型パーソナルコンピュータ等の他の機器であっても良い。
【００２５】
図１に示すように、電子機器１００は、表面に液晶パネル１０２を備えている。また、電子機器１００は、その側面に光ケーブルが接続される光コネクタ１０４を備えている。
【００２６】
［２．電子機器のメイン基板の構成例］
図２は、電子機器１００が内蔵するメイン基板１１０とその周辺の構成を示す平面図である。メイン基板１１０には表示用の液晶パネル１０２、バッテリーが接続され、各種処理演算を行うＣＰＵが搭載されている。メイン基板１１０は、電子機器１００の筐体１０１の内部に配置され、筐体１０１に対してビス１１６等により固定されている。
【００２７】
図２では、光コネクタ１０４とともに、光コネクタ１０４に接続される光ケーブル１０６を示している。光コネクタ１０４の接合面１０４ａが相手側の光ケーブル１０６の光プラグ２００と相対することにより、光信号による通信が行われる。本実施形態の電子機器１００は、一例として、光ケーブル１０６によってレーザ光による光を伝送し、１０〜１００Ｇｂｐｓ程度のビットレートの光通信を実現する。
【００２８】
高精細画面の広がりとともに民生用機器における光インターフェイスの利用が将来的に想定される。しかし光インターフェイスはその特性上、ゴミ、埃といった異物が付着した場合、その機能が果たせない。
【００２９】
本実施形態では、スマートフォンなどの電子機器１００に設けられた光インターフェイス（光コネクタ１０４）において、その端面（接合面１０４ａ）に付着した埃、塵等を、光コネクタ１０４を振動させることによって除去する。そして、光コネクタ１０４を加振するために、着信を知らせるバイブレータ１１２、もしくはスピーカの振動を用いる。これにより、高価で手間の掛かる専用クリーナーを用いることなく、また電子機器１００への専用部品追加も不要となり、塵、埃を除去するための製造コストの上昇も無くすことができる。従って、低価格で光コネクタ１０４の接点のゴミの除去効果を得ることができ、光コネクタ１０４を介した信頼性の高い通信を確保することができる。
【００３０】
このように、光コネクタ１０４の接合面１０４ａの近傍には塵・埃３００が付着している場合、本実施形態に係る電子機器１００は、塵・埃３００を振動によって除去する。以下、詳細に説明する。
【００３１】
メイン基板１１０は、上述した光ケーブルが接続される光コネクタ１０４、及び着信通知用のバイブレータ１１２を搭載している。バイブレータ１１２は、モータ１１３と、モータ１１３の回転軸１１３ａに装着された偏心ウエイト１１４等から構成され、着信とともに電圧を加えられることでモータ１１３の回転軸１１３ａが回転し、メイン基板１１０が固定された筐体１０１に振動を伝える。
【００３２】
このバイブレータ１１２は、光コネクタ１０４とともに、同一のメイン基板１１０に固定的に搭載されている。これにより、バイブレータ１１２の振動は、光コネクタ１０４に対して、その振動の強度が大きい状態で伝達される。更に、バイブレータ１１２は、光コネクタ１０４の搭載位置のできるだけ近傍に設置されることが望ましい。また、バイブレータ１１２による加振源と光コネクタ１０４の間には、ビス１１６等の振動伝達を遮るような締結部材を設けないようにする。また、バイブレータ１１２による加振源と光コネクタ１０４の間には、他の電子部品を実装しないようにする。これにより、バーブレータ１１２の振動を効率よく光コネクタ１０４へ伝達することができる。
【００３３】
これにより、光コネクタ１０４に付着した塵、埃等は、バイブレータ１１２を振動させることにより光コネクタ１０４から離脱される。従って、光コネクタ１０４に付着した塵、埃等によって通信に障害が発生することを確実に抑止することができる。
【００３４】
図３は、光コネクタ１０４の装着領域とビス１１６との間に切欠き１１８を設けた例を示す平面図である。これにより、基板１１０の剛性を緩和することができ、ビス１１６によってバイブレータ１１２の振動が拘束されてしまうことを確実に抑止できる。また、バイブレータ１１２と光コネクタ１０４が装着される領域の周囲に切欠き１１８，１１９を設けることによって、バイブレータ１１２及び光コネクタ１０４が装着される領域Ａを確実に振動させることが可能である。このように、ビス１１６との間に切欠き１１８を設けることによって、バイブレータ１１２によって加振された振動が減衰してしまうことを確実に抑止できる。
【００３５】
また、図４は、光コネクタ１０４とビス１１６の近傍に孔１２０を設けた例を示す模式図である。図４の例においても、孔１２０を設けたことによって、ビス１１６によって振動が拘束されてしまうことを確実に抑止できる。
【００３６】
図５は、バイブレータ１１２と光コネクタ１０４の間を連結部材（振動伝達部材）１２２で接続した例を示す模式図である。図５の例では、バイブレータ１１２の振動は、メイン基板１１０を介して光コネクタ１０４へ伝達されるとともに、連結部材１２２を介して光コネクタ１０４へ伝達される。これにより、バイブレータ１１２の振動をより確実に、且つ効率よく光コネクタ１０４へ伝えることが可能となる。
【００３７】
なお、上述した例ではバイブレータ１１２から振動を発生させたが、振動の発生源として他の部材を用いても良い。例えば、通常、スマートフォン等の電子機器１００には音声用のスピーカが搭載されているため、音声用のスピーカを振動源として用いることもできる。
【００３８】
また、上述した例では電子機器１００としてスマートフォンを例示したが、電子機器１００はテレビ受像機等の据え置き型の機器であっても良い。
【００３９】
光コネクタ１０４と光プラグ２００を以上のように構成することにより、光信号の受け渡しを阻害する原因となる塵・埃３００を、振動によって光コネクタ１０４から除去することが可能となる。特に、塵・埃３００の質量が大きいほど、塵・埃３００を確実に除去することが可能である。
【００４０】
［３．振動を発生させる処理］
バイブレータ１１２の振動による光コネクタ１０４のホコリ除去動作は、電子機器１００の電源オン／オフ時に自動的に行う。若しくは、電子機器１００に搭載されているアプリケーションプログラムによって、ユーザが光プラグ２００を光コネクタ１０４に接合する前に行っても良い。また、定期的又は任意のタイミングでバイブレータ１１２による加振を行って、塵・埃３００の除去を行っても良い。
【００４１】
以下では、図６〜図９のフローチャートに基づいて、バイブレータ１１２の振動を発生させるタイミングについて説明する。先ず、図６は、光インターフェイスを接続した際にバイブレータ１１２による加振を行う処理を示すフローチャートである。先ず、ステップＳ１０では、光インターフェイスの接続が行われる。つまり、ステップＳ１０では、光プラグ２００が光コネクタ１０４ａに装着される。光インターフェイスの接続は、電子機器１００が備えるＣＰＵによって認識される。次のステップＳ１２では、バイブレータ１１２による加振を行う。次のステップＳ１４では、接続された光ケーブル１０６による光通信を開始する。
【００４２】
図７は、通信状況に応じて、良好な通信が行わらなかった場合にバイブレータ１１２の振動を発生させる処理を示すフローチャートである。図７において、ステップＳ１０，Ｓ１２，Ｓ１４の処理は図６と同様である。ステップＳ１０で光インターフェイスの接続が行われると、次のステップＳ２０では、光ケーブル１０６による通信状況の判断手順を実行する。通信状況の判断手順では、エラーレート等を用いて通信状況を判断する。
【００４３】
次のステップＳ２２では、通信状況の判断手順を行った結果、良好な通信が行われているか否かを判定し、良好な通信が行われている場合はステップＳ１４へ進み、光通信を開始する。一方、ステップＳ２２で良好な通信が行われていない場合は、ステップＳ１２へ進み、バイブレータ１１２による加振を行う。ステップＳ１２の後はステップＳ２０へ戻る。
【００４４】
図８は、図７の処理において、ステップＳ２２で良好な通信が行われていないと判断された回数が所定回数以上になると、物理的なクリーニングを喚起する表示を液晶パネル１０２に表示する例を示すフローチャートである。図８において、ステップＳ１０，Ｓ１２，Ｓ１４，Ｓ２０，Ｓ２２の処理は図６と同様である。
【００４５】
図８において、ステップＳ２２で良好な通信が行われていない場合は、ステップＳ３０へ進み、ステップＳ２２で良好な通信が行われていないと判断された回数が所定回数以上であるか否かを判定する。そして、良好な通信が行われていないと判断された回数が所定回数以上の場合は、ステップＳ３２へ進む。ステップＳ３２では、物理的なクリーニングを喚起する表示を液晶パネル１０２に行う。
【００４６】
一方、ステップＳ３０で良好な通信が行われていないと判断された回数が所定回数未満の場合は、ステップＳ１２へ進み、バイブレータ１１２による加振を行う。ステップＳ１２の後はステップＳ２０へ戻る。
【００４７】
以上のように図８の処理によれば、良好な通信が行われていないと判断された回数が所定回数以上の場合は、バイブレータ１１２による加振では塵・埃が完全に除去されていないと考えられるため、物理的なクリーニングを喚起させることで、バイブレータ１１２による振動では除去できなかった塵・埃を除去することが可能となる。
【００４８】
図９は、図８の処理において、良好な通信が行われていないと判断されると、光コネクタ１０４の接点のクリーニングを喚起する表示を液晶パネル１０２に行い、ユーザが画面上のクリーニングボタンを押すことで加振を行う処理を示すフローチャートである。図９において、ステップＳＳ１０，Ｓ１２，Ｓ１４，Ｓ２０，Ｓ２２，Ｓ３２の処理は図８と同様である。
【００４９】
図９において、ステップＳ２２で良好な通信が行われていない場合は、ステップＳ４０へ進み、光コネクタ１０４の接点（接合面１０４ａ）のクリーニングを喚起する表示を液晶パネル１０２に行う。次のステップＳ４２では、ステップＳ４０の表示を見たユーザが、液晶パネル１０２の画面上に表示されたクリーニングボタンを押す。
【００５０】
次のステップＳ４４では、ユーザがクリーニングボタンを押した回数が３回目以上であるか否かを判定し、３回目以上の場合はステップＳ３２へ進み、物理的なクリーニングを喚起する表示を液晶パネル１０２に行う。一方、ユーザがクリーニングボタンを押した回数が３回未満の場合は、ステップＳ１２へ進み、バイブレータ１１２による加振を行う。ステップＳ１２の後はステップＳ２０へ戻る。
【００５１】
以上のように図９の処理によれば、良好な通信が行われていない場合は、クリーニングを喚起する表示を行い、表示を見たユーザが画面上に表示されたクリーニングボタンを押すことで、バイブレータ１１２の振動によるクリーニングを行うことができる。また、ユーザがクリーニングボタンを押した回数が３回以上の場合は、バイブレータ１１２による加振では塵・埃が完全に除去されていないと考えられるため、物理的なクリーニングを喚起させることで、バイブレータ１１２による振動では除去できなかった塵・埃を除去することが可能となる。
【００５２】
［４．電子機器の構成例］
図１０は、図６〜図９の処理を実現するための電子機器１００のハードウェア構成を示すブロック図である。図１０に示すように、電子機器１００は、液晶パネル１０２と、バイブレータ１１２と、制御部１４０と、光プラグ接続検知部１５０と、操作入力部１５２と、通信部１５４と、を備える。
【００５３】
制御部１４０は、ＣＰＵ（中央演算処理装置）から構成され、電子機器１００の全般を制御する。光プラグ接続検知部１５０は、光ケーブル１０６の光プラグ２００が光コネクタ１０４に接続されたことを検知する。一例として、光プラグ接続検知部１５０は、光コネクタ１０４に装着されたスイッチから構成される。操作入力部１５２は、ユーザによる操作が入力される構成要素であり、本実施形態では液晶パネル１０２の表面に装着されたタッチセンサから構成される。従って、液晶パネル１０２及び操作入力部１５２はタッチパネルを構成している。通信部１５４は、光コネクタ１０４、光プラグ２００及び光ケーブル１０６を介したデータ通信を行う。
【００５４】
制御部１４０は、光プラグ接続判定部１４２、通信状況判断部１４４、バイブレータ制御部１４６、通信制御部１４８、表示制御部１５０、操作入力取得部１５２を有して構成される。図１０に示す制御部１４０の構成要素は、ＣＰＵとこれを機能させるためのプログラム（ソフトウェア）によって構成することができる。そのプログラムは、電子機器１００が備えるメモリ等の記録媒体に格納されることができる。
【００５５】
図６〜図９で説明した処理と制御部１４０の機能ブロックとの関係を以下に示す。光プラグ接続判定部１４２は、光ケーブル１０６の光プラグ２００が光コネクタ１０４に接続されたことを判定する（ステップＳ１０）。通信状況判定部１４４は、通信状況の判断手順を実行し、良好な通信が行われたか否かを判定する（ステップＳ２０，Ｓ２２）。バイブレータ制御部１４６は、バイブレータ１１２を制御し、バイブレータ１１２による加振を行う（ステップＳ１２）。通信制御部１４８は、光コネクタ１０４、光プラグ２００、及び光ケーブル１０６を介した通信を制御する（ステップＳ１４）。表示制御部１５０は、液晶パネル１０２による表示を制御する（ステップＳ３２，Ｓ４０）。操作入力取得部１５２は、操作入力部１５２に入力されたユーザによる操作入力の情報を取得する（ステップＳ４２，Ｓ４４）。
【００５６】
以上説明したように本実施形態によれば、光コネクタ１０４の接合面１０４ａに付着した塵、埃３００は、光コネクタ１０４をバイブレータ１１２によって加振させることにより、光コネクタ１０４から落下させて除去することができる。従って、従来のインフラ系に用いられる光インターフェイスの接合時のように高価なクリーニング機器を購入して毎回清掃することが不要となる。また、スマートフォン等の電子機器１００において、クリーニング機構を実現するために追加の部材が不要となる。従って、製造コストの上昇をほぼゼロとすることができ、安価に実現することが可能である。また、更なるメリットとして、通信状況が良好でない場合に自動的にクリーニングを行うことによって、簡便にクリーニングを行うことができ、電子機器１００のユーザにとって、手間をかけさせること無く接合面のクリーニングが可能となる。
【００５７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５９】
なお、以下のような構成も本開示の技術的範囲に属する。
（１）振動を発生させる振動部と、
光ケーブルが接続される光コネクタと、
前記振動部と前記光コネクタが共に実装された基板と、
を備える、電子装置。
（２）前記振動部と前記光コネクタの間の前記基板上に電子部品が実装されていない、前記（１）に記載の電子機器。
（３）前記基板を筐体に固定する固定部を備え、
前記振動部及び前記光コネクタは、前記基板に設けられた切欠きによって前記固定部から分離された領域に配置される、前記（１）に記載の電子機器。
（４）前記振動部と前記光コネクタの間の領域に前記基板を貫通する孔が設けられた、前記（１）に記載の電子機器。
（５）前記振動部と前記光コネクタの双方に接触し、前記振動部の振動を前記光コネクタに伝達する振動伝達部材を更に備える、前記（１）に記載の電子機器。
（６）前記振動部は、着信を通知するバイブレータから構成される、前記（１）に記載の電子機器。
（７）前記振動部は、音声を発生するスピーカから構成される、前記（１）に記載の電子機器。
（８）前記光ケーブルが接続されたことを判定する接続判定部と、
前記光ケーブルが接続された場合に前記振動部を振動させる振動制御部と、
を更に備える、前記（１）に記載の電子機器。
（９）ユーザによる操作入力を取得する操作入力取得部と、
前記ユーザによる操作入力に基づいて前記振動部を振動させる振動制御部と、
を更に備える、前記（１）に記載の電子機器。
（１０）前記光コネクタに接続された光ケーブルを介した通信状況を判定する通信状況判定部と、
前記通信状況に基づいて前記振動部を振動させる振動制御部と、
を更に備える、前記（１）に記載の電子機器。
（１１）前記通信状況判定部により前記通信状況が良好でないことが所定回数以上判定された場合に、前記光コネクタの物理的なクリーニングを喚起させる表示のための制御を行う表示制御部を更に備える、前記（１）に記載の電子機器。
【符号の説明】
【００６０】
１００    電子機器
１０１    筐体
１０４    光コネクタ
１１０    メイン基板
１１２    バイブレータ
１１６    ビス
１１８，１１９    切欠き
１２０    孔
１２２    連結部材（振動伝達部材）
１４０    制御部
１４２    光プラグ接続判定部
１４４    通信状況判定部
１４６    バイブレータ制御部
１５０    表示制御部
１５２    操作入力取得部
【図１】
2015031911.tif 000003
【図２】
2015031911.tif 000004
【図３】
2015031911.tif 000005
【図４】
2015031911.tif 000006
【図５】
2015031911.tif 000007
【図６】
2015031911.tif 000008
【図７】
2015031911.tif 000009
【図８】
2015031911.tif 000010
【図９】
2015031911.tif 000011
【図１０】
2015031911.tif 000012